(57)【要約】      （修正有）【課題】手に持ち易く、人体と環境に優しい紙容器を提供する。【解決手段】所定の中心線Ｃに沿って第１の端部３２から第２の端部３３まで略筒状に形成された両端開口の周壁３と、周壁３の第１の端部３２側にある開口３２０を封止する底壁２とを備え、周壁３と底壁２により収容空間４を画成すると共に、周壁３は、第１の端部３２から、第２の端部３３に向かうにつれて次第に広がるように傾斜して延伸し、且つ、この傾斜する角度θは、中心線Ｃに対して、１３°〜１７°の範囲内の角度をなし、中心線Ｃに沿った第１の端部３２から第２の端部３３に至る高さｈ1は６０ｍｍ〜７５ｍｍの範囲内である。【選択図】図２
0003213428.tif 000002
【実用新案登録請求の範囲】
【請求項１】
所定の中心線に沿って第１の端部から第２の端部まで略筒状に形成された両端開口の周壁と、前記周壁の前記第１の端部側にある開口を封止する底壁とを備え、
前記周壁と前記底壁により収容空間を画成すると共に、
前記周壁は、前記第１の端部から、前記第２の端部に向かうにつれて次第に広がるように傾斜して延伸し、
且つ、この傾斜する角度は、前記中心線に対して、１３°〜１７°の範囲内の角度をなし、
前記中心線に沿った前記第１の端部から前記第２の端部に至る高さは６０ｍｍ〜７５ｍｍの範囲内である、ことを特徴とする紙容器。
【請求項２】
前記角度は１４°〜１６°の範囲内にあることを特徴とする請求項１に記載の紙容器。
【請求項３】
前記角度は１５°であることを特徴とする請求項１に記載の紙容器。
【請求項４】
前記周壁の前記高さは７０ｍｍであることを特徴とする請求項１〜請求項３のいずれか一項に記載の紙容器。
【請求項５】
前記周壁は、前記第１の端部の外径が１２７．５０ｍｍ〜１３２．７３ｍｍの範囲内にあり、前記第２の端部の外径が１７１．５２ｍｍ〜１７６．５４ｍｍの範囲内にあり、
前記収容空間は、容量が１０６７ｃｃ〜１０８０ｃｃの範囲内にあるよう画成されていることを特徴とする請求項４に記載の紙容器。
【請求項６】
前記周壁は、前記第１の端部の外径が１３０．１３ｍｍになり、前記第２の端部の外径が１７４ｍｍになるよう、前記第２の端部から前記第１の端部に向けて先細り状になった中空の逆截頭錐状に形成されており、
前記収容空間は、容量が１０７３ｃｃになるよう画成されていることを特徴とする請求項４に記載の紙容器。
【請求項７】
前記周壁は、前記第１の端部の外径が１３３．８８ｍｍになり、前記第２の端部の外径が１７４ｍｍになり、前記高さが６３ｍｍになるよう、前記第２の端部から前記第１の端部に向けて先細り状になった中空の逆截頭錐状に形成されており、
前記収容空間は、容量が９８６ｃｃになるよう画成されていることを特徴とする請求項１〜請求項３のいずれか一項に記載の紙容器。
【請求項８】
前記底壁は一枚の紙材料により、
前記周壁の前記第１の端部と前記第２の端部との間に配置されて前記周壁の前記第１の端部側にある開口を封止する底部と、
前記周壁に貼り付けられていると共に、該底部から前記第１の端部まで延伸する環状支持部と、を有するように作成されたことを特徴とする請求項１に記載の紙容器。
【請求項９】
前記周壁は、
前記収容空間に臨む壁部と、
前記第２の端部において、前記壁部から前記収容空間の外側へ張り出してから前記壁部に折り返すように巻かれて形成された円環状部と、を有していることを特徴とする請求項８に記載の紙容器。
【請求項１０】
前記底壁の前記環状支持部は、前記中心線において延伸する高さが９ｍｍ〜１０ｍｍの範囲内にあるよう形成されており、
前記円環状部は、前記中心線における高さが４ｍｍになるよう形成されたことを特徴とする請求項９に記載の紙容器。
【考案の詳細な説明】
【技術分野】
【０００１】
本考案は容器に関し、特に即席麺などの食品を収容するための紙容器に関する。
【背景技術】
【０００２】
乾燥麺及び調味料等を収容する即席麺の容器は、例えばポリエチレン（ＰＥ）やポリ塩化ビニル（ＰＶＣ）等の発泡プラスチックによりコップ状又は椀状に形成されるものである。
即席麺の調理法としては熱湯を乾燥麺及び調味料が収容される容器内に注ぐだけであり、該容器はそのまま食器として使用することができる。また、発泡プラスチックにより作成された該従来の容器は、質量が軽く、且つ廉価であるために量産し易い。
【考案の概要】
【考案が解決しようとする課題】
【０００３】
しかしながら、該従来の容器は、発泡プラスチックが高温な熱湯と接触すると、一部が該熱湯に溶け込んでしまって、そのままでは人体に影響を与えかねない他、廃棄される際にも生分解されない、焼却時に有害のガスが発生する問題点がある。
上記問題点に鑑みて、本考案は、人体と環境に優しい紙容器の提供を目的とする。
【課題を解決するための手段】
【０００４】
上記目的を達成すべく、本考案の紙容器は、所定の中心線に沿って第１の端部から第２の端部まで略筒状に形成された両端開口の周壁と、前記周壁の前記第１の端部側にある開口を封止する底壁とを備え、前記周壁と前記底壁により収容空間を画成すると共に、前記周壁は、前記第１の端部から、前記第２の端部に向かうにつれて次第に広がるように傾斜して延伸し、且つ、この傾斜する角度は、前記中心線に対して、１３°〜１７°の範囲内の角度をなし、前記中心線に沿った前記第１の端部から前記第２の端部に至る高さは６０ｍｍ〜７５ｍｍの範囲内である。
【考案の効果】
【０００５】
上記構成によれば、本考案の紙容器は、紙製の容器であるため、高温のスープを収容しても有害物質が溶出されることはないので食品が汚染される恐れはなく、生分解され易いので、廃棄された後も生体と環境に悪影響が少ない。更に、本考案の紙容器は、前記周壁が前記角度と前記高さで作成されたため、食器としても手で持ち易く、便利に取り扱うことができる。
【図面の簡単な説明】
【０００６】
【図１】本考案の紙容器の実施形態の包装が開封された状態が示される斜視図である。
【図２】本考案の紙容器の実施形態が示される断面図である。
【図３】本考案の紙容器の実施形態が示される要部拡大断面図である。
【考案を実施するための形態】
【０００７】
以下、各図面を参照しながら、本考案の紙容器を例示する実施形態について詳しく説明する。図１は本考案の実施形態の紙容器の包装が開封された状態が示される斜視図である。図２は本考案の紙容器の実施形態が示される断面図である。そして、図３は本考案の紙容器の実施形態が示される要部拡大断面図である。
【０００８】
図１に示されるように、本考案の紙容器は、乾燥麺塊１１及び調味料が封入される調味料の袋１２等を収容すると共に、シート状の蓋１３に封止されて包装されるものである。図２に示されるように、本考案の紙容器は、略筒状に形成された周壁３と、周壁３の一端を封止して周壁３と共に乾燥麺塊１１及び調味料の袋１２を収容できる収容空間４を画成する底壁２と、を備えている。
【０００９】
本実施形態における周壁３は、紙材料により、所定の中心線Ｃに沿って第１の端部３２（図２における下端）から、第２の端部３３（図２における上端）まで延伸して両端開口であり、第２の端部３３から第１の端部３２に向けて先細り状になった中空の逆截頭錐状（図１、典型的には逆截頭円錐状である）に形成されている。更に、第１の端部３２にある開口３２０は底壁２に封止され、第２の端部３３にある開口３３０は蓋１３（図１）に封止されている。
【００１０】
更に、図３に示されるように周壁３は、収容空間４に臨む中空の逆截頭錐状の壁部３１と、第１の端部３２においてその開口３２０の内側へ折り畳まれる円環保持部３２１と、第２の端部３３において壁部３１から収容空間４の外側へ張り出してから該壁部３１に折り返すように巻かれて形成された円環状部３３１と、を有している。
【００１１】
ちなみに壁部３１は、収容空間４に臨む内壁面３１１にポリ乳酸（ＰＬＡ樹脂）、または微生物発酵によるポリヒドロキシアルカン酸（ＰＨＡ）などの生分解性プラスチックの塗装が施されて、防水や耐油の効果を図ることができる。一方、壁部３１の内壁面３１１と反対側の外壁面３１２には、装飾等のための印刷層（図示せず）が設けられ、更に上記のような防水と耐油手段の塗装が施されることも可能である。
【００１２】
また、図２に示されるように周壁３は、第１の端部３２から、第２の端部３３に向かうにつれて次第に広がるように傾斜して延伸する。周壁３の傾斜する角度θは、中心線Ｃに対して、１３°〜１７°の範囲内、好ましくは１４°〜１６°の範囲内、そして最も好ましくは１５°の角度をなすように形成されることである。この角度でテーパー状に作成されることで、本考案の紙容器に他の本考案の紙容器を収容させるように重ねて収納することが可能である。
【００１３】
なお、周壁３は、中心線Ｃに沿った第１の端部３２から第２の端部３３に至る高さｈ1は６０ｍｍ〜７５ｍｍの範囲内、特に７０ｍｍに形成されることが好ましい。本考案の紙容器は、この角度θと高さｈ1により形成されることで、本考案の紙容器は手で持ち易い。
更に、第２の端部３３から張り出した円環状部３３１は、中心線Ｃにおける高さｈ2が４ｍｍになるよう巻かれて形成されることで、周壁３の第２の端部３３側における構造強度を強化できる。
【００１４】
そして、第１の端部３２は、外径ｗ1が１２７．５０ｍｍ〜１３２．７３ｍｍの範囲内にあり、特に１３０．１３ｍｍに形成されることが好ましい。一方、第２の端部３３は、その円環状部３３１を含めた外径ｗ2が、１７１．５２ｍｍ〜１７６．５４ｍｍの範囲内にあり、特に１７４ｍｍに形成されることが好ましい。これらの外径ｗ1、ｗ2で形成されることにより、市販の円盤状の乾燥麺塊１１と幅径を合わせると共に、その乾燥麺塊１１が収容空間４内で搖動して調味料の袋１２を突き破ってしまうことのないように該乾燥麺塊１１を保持できる。
【００１５】
底壁２は、一枚の紙材料により、周壁３の第１の端部３２と第２の端部３３との間に配置されて、第１の端部３２側にある開口３２０を封止して壁部３１と共に収容空間４を画成する底部２１と、周壁３の壁部３１に貼り付けられて該底部２１から第１の端部３２まで延伸すると共に、壁部３１と折り畳まれた円環保持部３２１との間に挟まれている環状支持部２２（図３）と、を有するように作成されている。なお、環状支持部２２は、中心線Ｃにおいて延伸する高さｈ3が９ｍｍ〜１０ｍｍの範囲内にあるよう形成されている。
【００１６】
以上の構造によって収容空間４は、容量が９８６ｃｃ〜１０８０ｃｃの範囲内となるよう画成されて、市販の即席麺の容器規格に合わせることができる。
そして、以上の構成によれば、図１に示されるように、乾燥麺塊１１及び調味料の袋１２を収容して包装している本考案の紙容器を封止する蓋１３を開け、収容空間４にある調味料の袋１２に入れた調味料を出して乾燥麺塊１１に掛けて、収容空間４内に熱湯等の高温液体を注ぐと、該調味料と該乾燥麺塊１１を調理して即席麺として完成し、食用することができる。
【００１７】
ここでは、本考案の紙容器が紙製のものであるため、生分解され易いので、生体と環境に悪影響は少ない。
なお、本考案の紙容器を、例えば以下の４種類の規格例で製造し、生産することもできる。
【００１８】
本考案の紙容器を製造する第1の規格例では、周壁３での傾斜角度θが１３°、第１の端部３２から第２の端部３３までの高さh1が７０ｍｍ、円環状部３３１の高さｈ2が４ｍｍ、環状支持部２２の高さｈ3が１０ｍｍ、第１の端部３２の外径ｗ1が１３２．７３ｍｍ、第２の端部３３の外径ｗ2が１７１．５２ｍｍ、そして収容空間４の容量が１０６７ｃｃである。
【００１９】
本考案の紙容器を製造する第２の規格例では、周壁３での傾斜角度θが１７°、第１の端部３２から第２の端部３３までの高さh1が７０ｍｍ、円環状部３３１の高さｈ2が４ｍｍ、環状支持部２２の高さｈ3が１０ｍｍ、第１の端部３２の外径ｗ1が１２７．５０ｍｍ、第２の端部３３の外径ｗ2が１７６．５４ｍｍ、そして収容空間４の容量が１０８０ｃｃである。
【００２０】
本考案の紙容器を製造する第３の規格例では、周壁３での傾斜角度θが１５°、第１の端部３２から第２の端部３３までの高さh1が７０ｍｍ、円環状部３３１の高さｈ2が４ｍｍ、環状支持部２２の高さｈ3が１０ｍｍ、第１の端部３２の外径ｗ1が１３０．１３ｍｍ、第２の端部３３の外径ｗ2が１７４ｍｍ、そして収容空間４の容量が１０７３ｃｃである。
【００２１】
本考案の紙容器を製造する第４の規格例では、周壁３での傾斜角度θが１５°、第１の端部３２から第２の端部３３までの高さh1が６３ｍｍ、円環状部３３１の高さｈ2が４ｍｍ、環状支持部２２の高さｈ3が９ｍｍ、第１の端部３２の外径ｗ1が１３３．８８ｍｍ、第２の端部３３の外径ｗ2が１７４ｍｍ、そして収容空間４の容量が９８６ｃｃである。更に、この第４の規格例は、上記の比較的に大容量の第３の規格例の内部に収容されて、後に副容器として使用されることができる。
【００２２】
以上の実施形態及び各規格例によれば、本考案の紙容器は、紙製の容器であるため、人体には無害なので、容器内に入れた熱湯等の高温液体に溶け出した場合でも安全に該高温液体を飲用でき、そして廃棄された後にも生分解され易いので、生体と環境に及ぼす悪影響が少ない。更に、本考案の紙容器は、第１の端部３２から第２の端部３３までの高さｈ1が６０ｍｍ〜７０ｍｍの範囲内で作成されたため、食器としても手で持ち易く、そして周壁３での傾斜角度θが１３°〜１７°の範囲内で作成されたため、他の本考案の紙容器を収容させて便利に収納することもできる。
【００２３】
以上、本考案の好ましい実施形態を説明したが、本考案はこれに限定されるものではなく、その要旨を逸脱しない範囲で種々変更可能である。
上記のように本考案の構成によれば、本考案の紙容器は、様々の規格に適宜変更されることも可能なので、多種多様の即席麺商品に合わせて製造し、生産することもできる。
【符号の説明】
【００２４】
１１  乾燥麺塊
１２  調味料の袋
１３  蓋
２  底壁
２１  底部
２２  環状支持部
３  周壁
３１  壁部
３１１  内壁面
３１２  外壁面
３２  第１の端部
３２０  開口
３２１  円環保持部
３３  第２の端部
３３０  開口
３３１  円環状部
４  収容空間
Ｃ  中心線
ｈ1  高さ
ｈ2  高さ
ｈ3  高さ
ｗ1  外径
ｗ2  外径
θ  角度
【図１】
0003213428.tif 000003
【図２】
0003213428.tif 000004
【図３】
0003213428.tif 000005